(57)【特許請求の範囲】
【請求項１】
ほぼ垂直に設立されたガイドレールに沿って昇降自在に設けられた小迫り床と、該小迫り床側に設けられガイドレールに沿って走行するガイドローラと、小迫り床側に微昇降可能に設けられ小迫り床の上昇操作時または下降操作時以外にガイドレールおよびガイドローラ間に楔入されてガイドローラの下降をロックする楔部材と、楔部材に一端が枢支され他端が小迫り床を昇降操作可能に吊持する昇降部材に支持されながら中央部の支軸を中心に回動する回動部材と、楔部材を楔入方向に付勢するスプリングとを有してなる小迫り床装置。
【請求項２】
楔部材に連結されて小迫り床の下降操作時に楔部材によるロックを解除するロック解除手段を設けてなることを特徴とする請求項１の小迫り床装置。
【発明の詳細な説明】
【０００１】
【発明の属する技術分野】
この発明は、劇場などの舞台に設置される小迫り床装置に関する。
【０００２】
【従来技術とその問題点】
従来、劇場などの舞台には、その一部に舞台下の奈落に通じる開口が設けられると共に、該開口に役者や大道具などを載せる小迫り床を配設し、この小迫り床を奈落と舞台との間で昇降させる小迫り床装置が設置されることがある。
【０００３】
そして、この種の小迫り床装置にあっては、小迫り床を奈落と舞台との間で昇降させるに際して、奈落に容積的な余裕がないこともあって大掛りな昇降装置を利用せず、構成や取り扱いが簡単になる手動機構を利用するとしている。
【０００４】
すなわち、たとえば、手動機構が小迫り床に連結されたワイヤロープを有しており、このワイヤロープを奈落に居る作業者が引いたりあるいは緩めたりする作業で小迫り床を昇降させるとしている。
【０００５】
しかしながら、上記した従来の小迫り床装置にあっては、手動機構で小迫り床を昇降させるについて、ワイヤロープを引いたりあるいは緩めたりする際の力の大きさや、小迫り床を所定の舞台位置や奈落位置に停止させる操作性に熟練が要求されるのはもちろんだが、いわゆるミスが許されない不具合がある。
【０００６】
すなわち、上記従来の小迫り床装置にあっては、小迫り床が昇降途中にあるときに、ワイヤロープが破断したり、あるいは、ワイヤロープから手が外れたりなどして、ワイヤロープへの操作力がなくなると、そのまま小迫り床が奈落の底に落下することになる不具合があった。
【０００７】
そこで、この発明は、上記した事情に鑑みて創案されたものであって、その目的とするところは、小迫り床に連結されているワイヤロープへの操作力がなくなる事態になっても、小迫り床が奈落の底に落下するのを防止できるようにした小迫り床装置を提供することである。
【０００８】
【課題を解決するための手段】
上記した目的を達成するのために、この発明にかかる小迫り床装置の構成を、基本的には、ほぼ垂直に設立されたガイドレールに沿って昇降自在に設けられた小迫り床と、該小迫り床側に設けられガイドレールに沿って走行するガイドローラと、小迫り床側に微昇降可能に設けられ小迫り床の上昇操作時または下降操作時以外にガイドレールおよびガイドローラ間に楔入されてガイドローラの下降をロックする楔部材と、楔部材に一端が枢支され他端が小迫り床を昇降操作可能に吊持する昇降部材に支持されながら中央部の支軸を中心に回動する回動部材と、楔部材を楔入方向に付勢するスプリングとを有してなるとする。
【０００９】
そして、好ましくは、楔部材に連結されて小迫り床の下降操作時に楔部材によるロックを解除するロック解除手段を設けてなるとする。
【００１０】
【発明の実施の形態】
以下、図示した一実施の形態に基づいて、この発明を説明するが、図１，図２および図３は、小迫り床装置を要部を拡大して示し、同図において、１は、舞台下の奈落における床に垂直に設立されたほぼＨ字状断面を持つガイドレールであり、これらが一対の平行片部１ａとこれらの各平行片部１ａの中央部を連結する連結片部１ｂとからなる。
【００１１】
また、２，３は、ガイドレール１の一方の平行片部１ａと連結片部１ｂとを一定の間隙をおいて挟むように配置された一対の取付フレームであり、これらの取付フレーム２，３は、一枚の取付基板４の両端にそれぞれボルト・ナット４ａによりそれぞれ固定されている。
【００１２】
そして、この取付基板４のフレーム２，３の取付面とは反対側の面には、小迫り床５を支持するＬ字状の支持フレーム６が溶接などによって固定されており、７は、このＬ字状フレーム６を補強する補強ビーム、８は、同じくこのＬ字状フレーム６のコーナ部を補強する補強板である。
【００１３】
なお、小迫り床５は、最上昇時には、舞台の床の一部に開穿された開口に嵌まり込み、また、最下降時には、奈落の床とほぼ同レベルになり、いわゆるその間で昇降し得るように設定されている。
【００１４】
さらに、９は、各取付フレーム２，３の対向片部２ａ，３ａに取り付けられ、ガイドレール１の一方の平行片部１ａを、図３に示すように、挟むように設けられた複数対の第一のガイドローラで、１０は、各取付フレーム２，３の突起片部２ｂ，３ｂに取り付けられ、ガイドレール１の連結片部１ｂを、図２に示すように、挟むように設けられた複数対の第二のガイドローラである。
【００１５】
従って、第一のガイドローラ９および第二のガイドローラ１０の支持軸１１，１２は、相互に直交する向きに各対向片部２ａ，３ａおよび突起片部２ｂ，３ｂに設立されている。
【００１６】
１３は、取付基板４にボルト１４によって水平固定された横長の支持部材であって、この支持部材１３の側面には支持軸１５を架設したブラケット１６が溶接によって取り付けられている。そして、この支持軸１５にはシュー形状の楔部材１７に穿設されて、図１に示すような上下方向に長い長円孔１８が挿通されている。
【００１７】
この楔部材１７は、上端部方向に次第に厚みが薄くなり、上端が尖端部１７ａとされており、その一側面は前記ガイドレール１の一方の平行片部１ａの側面に平行な平坦面１７ｂとされている。なお、尖端部１７ａは、最上部にある第一のガイドローラ９とガイドレール１ａとの間隙に、図１に示すように出入自在に臨んでいる。
【００１８】
一方、支持部材１３には、上下に貫通するガイド孔１９が左右端部に設けられており、これらのガイド孔１９には、支持部材１３上に載置された昇降板２０の下端に突設された昇降棒２１が摺動自在に挿入されている。
【００１９】
また、昇降板２０の上面にはワイヤロープ２３端の係止金具２４を係止するための一対の係止リング２２が突設されている。そして、ワイヤロープ２３の他端部は、ガイドレール１上端に取り付けられたブラケット２５上に回転自在に支持されたガイドプーリ２６を介して、これの下方へ案内されている。
【００２０】
なお、ワイヤロープ２３の他端部は、奈落に居る作業者が把持する部位になるが、途中には、カウンターウェイト（図示せず）がワイヤロープ２３で吊持されるように保持されている。また、昇降板２０，昇降棒２１，係止リング２２，ワイヤロープ２３および係止金具２４は昇降部材Ｓを構成している。
【００２１】
２７は、昇降棒２１の下端部に取り付けられたスプリング受け部材であり、このスプリング受け部材２７と前記支持部材１３との間にスプリング２８が介装されている。このスプリング２８によって昇降棒２１は支持部材１３に対して常に下方へ摺動するように付勢されている。
【００２２】
また、２９は、取付フレーム３の対向片部３ａに植設された固定軸であり、この固定軸２９には回動部材としての回動リンク３０が回動自在に枢支され、この回動リンク３０の一端に設けられた長孔３１がスプリング受け部材２７に突設されたガイドピン３２に挿通され、その回動リンク３０の他端に設けられた長孔３３が、楔部材１７の下端部に突設されたピン３４に挿通されている。
【００２３】
さらに、ピン３４には水平方向に長い操作杆３５の一端が枢支されており、この操作杆３５の他端は、補強ビーム７に一体に取り付けられた取付板３６上の支軸３７に枢支されている。
【００２４】
また、補強ビーム７には取付ブラケット３８を介してスプリング受け部材３９が取り付けられており、このスプリング受け部材３９と操作杆３５に取り付けられたボルト固定部材４０との間にはスプリング４１が介装されている。
【００２５】
そして、そのボルト固定部材４０には、前記スプリング受け部材３９内に昇降自在にガイドされるガイド棒４２の上端が螺合されており、このため、スプリング４１の反発力によって操作杆３５は支軸３７を中心に反時計方向に付勢して、回動リング３０を常時時計方向に回動付勢している。４３は、ガイド棒４２端の係止リングで、４４は、係止リング４３に上端を係止してそのガイド棒４２を下方へ引張り操作するためのワイヤロープである。
【００２６】
なお、操作杆３５，ボルト固定部材４０，ガイド棒４２，係止リング４３およびワイヤロープ４４などは、楔部材１７による第一のガイドローラのロックを解除するロック解除手段Ｒを構成している。
【００２７】
かかる構成になる小迫り床装置にあっては、小迫り床５が舞台の床に設けた開口に向って迫り上げられてその舞台の床面と同レベルに保持されたり、あるいはその舞台の床より下位に下降して、役者などの小迫り床５への乗り降りを可能にしている。
【００２８】
図１は、小迫り床５が舞台の床と同レベルに持ち上げられて、保持されている状態を示すが、このときワイヤローブ２３，４４のいずれにも力が作用していないために、回動リンク３０は、スプリング２８，４１の附勢力で固定軸２９を中心に反時計方向に回転する向きに付勢されている。
【００２９】
このため、楔部材１７は、ガイドレール１に沿って上方へ持ち上げられるように付勢されて居ることになり、したがって、その尖端部１７ａがガイドレール１と図中で左方となる一つの第一のガイドローラ９との間に圧入、すなわち、楔入される。
【００３０】
その結果、この第一のガイドローラ９および第二のガイドローラ１０のガイドレール１に沿った下降が阻止され、小迫り床５がガイドレール１に下降することなく言わば固定状態に支持されることになる。
【００３１】
ちなみに、小迫り床５を下方に降ろす場合には、ワイヤロープ２３，４４のいずれか一方を奈落に居る作業者が引くようにするが、小迫り床５に荷重が作用していない状態のときには、ワイヤロープ４４を引く作業で足り、小迫り床５に荷重が作用している状態のときは、ワイヤロープ２３を引き、カウンターウェイトの助けを借りるようにすれば足りる。
【００３２】
そして、ワイヤロープ４４が引かれると、ガイド棒４２がスプリング４１の反発力に抗して下方に引き下げられ、従って、このガイド棒４２の動きに応じて、支軸３７を中心に操作杆３５が時計方向に回動する。
【００３３】
このため、この操作杆３５端に連係する前記回動リンク３０が固定軸２９を中心に時計方向に回動付勢され、楔部材１７がこれに設けた長円孔１８の領域内で支持軸１５に沿って下降する。
【００３４】
これにより、楔部材１７の尖端部のガイドレール１と第一のガイドローラ９との間隙への楔入（ロック）が解除され、楔部材１７がガイドレール１に沿って滑降し、ガイドローラ９の走行を可能にする。
【００３５】
また、ワイヤロープ２３が引かれると、スプリング２８の反発力に抗して、昇降棒２１が支持部材１３に対して上昇されることになり、その昇降棒２１下端のスプリング受け部材２７上のピン３２に一端を挿通した前記回動リンク３０が時計方向に回動するようになる。
【００３６】
そして、この回動リンク３０の回動で、楔部材１７がガイドレール１に沿って下降されるのは上述した通りであり、いわゆるロック状態が解除される。
【００３７】
なお、小迫り床５を最上昇状態に維持するには、ワイヤロープ２３，４４への操作力を解除しておけば足りるが、いわゆる安心のためには、特に、ワイヤロープ２３の端部を適宜の固定箇所に連結しておけば良い。
【００３８】
以上のように、この発明では、小迫り床５の昇降操作を妨げないのはもちろんのこと、小迫り床５の上昇操作中に誤ってワイヤロープ２３から手が離れるような事態が招来されても、小迫り床５の急落を阻止できることになる。
【００３９】
【発明の効果】
以上のように、請求項１の発明によれば、ほぼ垂直に設立されたガイドレールに沿って昇降自在に設けられた小迫り床と、該小迫り床側に設けられガイドレールに沿って回転走行しながら昇降ガイドするガイドローラと、小迫り床側に微昇降可能に設けられ小迫り床の上昇操作時または下降操作時以外にガイドレールおよびガイドローラ間に楔入されてガイドローラの下降をロックする楔部材と、楔部材に一端が枢支され他端が前記小迫り床を昇降操作可能に吊持する昇降部材に支持されて中央部の支軸を中心に回動する回動部材とを有して、スプリングを用いて楔部材を前記楔入方向に付勢するように構成したので、小迫り床をワイヤロープを引いて上昇操作している作業者が誤ってこれから手を離しても、小迫り床が急落するのを防止でき、役者や大道具，小道具を載せた小迫り床の迫り上げおよび迫り降しを安全に実施できるという効果が得られる。
【００４０】
また、請求項２の発明にかかる小迫り床装置は、楔部材にロック解除手段を連結し、このロック解除手段によって、小迫り床の下降操作時に、楔部材によるロックを解除させるように構成したので、小迫り床の下降をスピーディかつ効率的に実施できるという効果が得られる。
【図面の簡単な説明】
【図１】この発明の実施の一形態による小迫り床装置の要部を示す正面図である。
【図２】図１のＡ―Ａ線断面図である。
【図３】図１のＢ―Ｂ線断面図でる。
【符号の説明】
１  ガイドレール
５  小迫り床
９  ガイドローラとしての第一のガイドローラ
１０  ガイドローラとしての第二のガイドローラ
１７  楔部材
２８  スプリング
３０  回動部材としての回動リンク
Ｓ  昇降部材
Ｒ  ロック解除手段
【図１】
0003567955.tif 000002
【図２】
0003567955.tif 000003
【図３】
0003567955.tif 000004